Podtech/llm-jp-corpus-v4-ja_patent huggingface dataset:
(57)【要約】【課題】  本発明は、「ＳＯＳ助けて下さい」と、表示できる防犯防止用具を提供する。【解決手段】  ロール巻きを包む約２ｍｍのスポンジの平板（１）に止めひも（２）を設け、スポンジの平板（１）にロール巻き（３）を設け、スポンジの平板（１）にプラスチック中板（５）を設け、スポンジの平板（１）に「ＳＯＳ助けて下さい」の表示部（７）を設け、スポンジの平板（１）に切り込み（６）を設け、ロール巻き（３）にスポンジ切り落しひも（４）を設けたことを特徴とする防犯防止用具。【選択図】図１
2011008744.tif 000002
【特許請求の範囲】
【請求項１】
ロール巻きを包む約２ｍｍのスポンジの平板（１）に止めひも（２）を設け、スポンジの平板（１）にロール巻き（３）を設け、スポンジの平板（１）にプラスチック中板（５）を設け、スポンジの平板（１）に「ＳＯＳ助けて下さい」の表示部（７）を設け、スポンジの平板（１）に切り込み（６）を設け、ロール巻き（３）にスポンジ切り落しひも（４）を設けたことを特徴とする防犯防止用具。
【発明の詳細な説明】
【技術分野】
【０００１】  本発明は、「ＳＯＳ助けて下さい」と、表示できる防犯防止用具に関するものである。
【背景技術】
【０００２】  従来から防犯ブザー等があった。、、
防犯対策の一つとして、他人に知らせるため、警笛を鳴らす。
たとえば、防犯ブザー等がある。
また、口で、大声で、叫ぶと悪人に気づかれてしまう。
その他には、目で他人に知らせ、助けを求める方法しかない。
それなら、身体の一部に取りつけてある（小学生ならランドセル等）「ＳＯＳ助けて下さい」の紐を引き、悪人にわからない様に、帯の様に垂れ下げて、足取りを知らせることができる。
口で叫ぶ、耳で聞いてもらう、目で知らせる、目で見るのはなかったＳＯＳの紐を引き、帯を流し続け、誰かに気づいてもらう助けにつながる。
たとえば、暴力、痴漢、誘拐、虐待、遭難などである。
【発明の概要】
【発明が解決しようとする課題】
【０００３】  そのために、次のような問題点がある。
防犯対策の一つとして、他人に知らせるため、警笛を鳴らさなければならなかった。
たとえば、防犯ブザー等がある。
また、口で、大声で叫ぶ悪人に気づかれてしまう。
その他には、目で他人に知らせ、助けを求める方法しかなかった。
本発明は、これらの問題点を解決されるためになされたものである。
【課題を解決するための手段】
【０００４】  ロール巻きを包む約２ｍｍのスポンジの平板（１）に止めひも（２）を設ける。
スポンジの平板（１）にロール巻き（３）を設ける。
スポンジの平板（１）にプラスチック中板（５）を設ける。
スポンジの平板（１）に「ＳＯＳ助けて下さい」の表示部（７）を設ける。
スポンジの平板（１）に切り込み（６）を設ける。
ロール巻き（３）にスポンジ切り落しひも（４）を設ける。
以上のように構成された防犯防止用具。
【発明の効果】
【０００５】  切れたあとは、スポンジは開き、中の糸巻の様なものが落下し、ひらひらとナイロンテープが流れ、長いため、人目につく様に長いテープになる。
無言で、他人に知らせることができる。
子供を対象に記入されているが、護身用にだれでも携帯することができる。
世のため、人のためになる。
音もなく、いままでなかった防犯グッズである。
口で叫んで人を呼ぶ、防犯ブザーで人に知らせる、それで目で知らせる。
人の心は、それぞれ違うが大さわぎして窮地に入ってしまうより静かにさわぎ立てずよい方向に向かった方が安全である。
【図面の簡単な説明】
【０００６】
【図１】  本発明の斜視図である。
【図２】  本発明を下側から見た斜視図である。
【図３】  本発明の使い方を説明した側面図である。
【図４】  本発明の使い方を説明した側面図である。
【図５】  本発明の使用状態を説明した斜視図である。
【発明を実施するための形態】
【０００７】  以下、本発明の形態について説明する。
ロール巻きを包む約２ｍｍのスポンジの平板（１）に止めひも（２）を設ける。
スポンジの平板（１）にロール巻き（３）を設ける。
スポンジの平板（１）にプラスチック中板（５）を設ける。
スポンジの平板（１）に「ＳＯＳ助けて下さい」の表示部（７）を設ける。
スポンジの平板（１）に切り込み（６）を設ける。
ロール巻き（３）にスポンジ切り落しひも（４）を設ける。
本発明は以上のような構成である。
本発明の使い方を説明する。
「ＳＯＳ助けて下さい」のナイロンテープが糸巻の様なものに巻かれてあり、スポンジで厚さ２ｍｍ程の平巻に包んであり、底の部分が両端３ｍｍ位切れを入れる。
あとは、横に約３ｍｍ間隔の穴を設け、卵パックのように、ひもを引くと、切れる様にしてある。
「ＳＯＳ助けて下さい」の表示部（７）は、地黄色蛍光塗料、字は黒色にする。
【符号の説明】
【０００８】  １  ロール巻きを包む約２ｍｍスポンジの平板
２  止めひも
３  ロール巻き（カメラのフィルム巻きの様な）
４  スポンジ切り落しひも
５  プラスチック中板
６  切り込み
７  「ＳＯＳ助けて下さい」の表示部
【図１】
2011008744.tif 000003
【図２】
2011008744.tif 000004
【図３】
2011008744.tif 000005
【図４】
2011008744.tif 000006
【図５】
2011008744.tif 000007